(57)【要約】      （修正有）【課題】電動回転工具の装着部に入力装着部の装着軸部を装着し、ドライバービット等の工具を出力装着部の装着穴部に装着し、電動回転工具を駆動して回転工具作業を行うことになり、この際、上記入力装着部及び出力装着部の間に交差変向機構をもつ中間伝達部を設けると共に上記入力装着部に上記装着軸部の回転軸線を固定又は変向可能な自在継手機構を設けてなるから、電動回転工具からの回転を中間伝達部の交差変向機構により変向することができる電動回転工具用アタッチメントを提供する。【解決手段】電動回転工具の装着部に着脱自在に装着可能な装着軸部１ａをもつ入力装着部１及びドライバービット等の工具Ｔを着脱自在に装着可能な装着穴部２ａをもつ出力装着部２を備えてなり、入力装着部及び出力装着部の間に交差変向機構をもつ中間伝達部３を設けると共に入力装着部に装着軸部の回転軸線を固定又は変向可能な自在継手機構４を設けてなる。【選択図】図１
0003163635.tif 000002
【実用新案登録請求の範囲】
【請求項１】
電動回転工具の装着部に着脱自在に装着可能な装着軸部をもつ入力装着部及びドライバービット等の工具を着脱自在に装着可能な装着穴部をもつ出力装着部を備えてなり、上記入力装着部及び出力装着部の間に交差変向機構をもつ中間伝達部を設けると共に上記入力装着部に上記装着軸部の回転軸線を固定又は変向可能な自在継手機構を設けてなることを特徴とする電動回転工具用アタッチメント。
【請求項２】
上記中間伝達部と上記入力装着部とを着脱自在とする分離着脱機構を設けてなることを特徴とする請求項１記載の電動回転工具用アタッチメント。
【請求項３】
上記中間伝達部にハンドルを設けてなることを特徴とする請求項１又は２記載の電動回転工具用アタッチメント。
【請求項４】
上記ハンドルは位置変更可能に設けられていることを特徴とする請求項１〜３のいずれか１項に記載の電動回転工具用アタッチメント。
【請求項５】
上記交差変向機構は傘歯車機構であることを特徴とする請求項１〜４のいずれか１項に記載の電動回転工具用アタッチメント。
【考案の詳細な説明】
【技術分野】
【０００１】
本考案は、電動ドライバー、インパクトドライバー、電動ドリル等の電動回転工具に用いられる電動回転工具用アタッチメントに関するものである。
【背景技術】
【０００２】
従来、この種の電動回転工具用アタッチメントとして、電動回転工具の装着部に着脱自在に装着可能な装着軸部をもつ入力装着部及びドライバービット等の工具を着脱自在に装着可能な装着穴部をもつ出力装着部を備えてなる構造のものが知られている。
【先行技術文献】
【特許文献】
【０００３】
【特許文献１】特開平８−１１８２４７号
【特許文献２】特開２０００−３１７８５２号
【考案の概要】
【考案が解決しようとする課題】
【０００４】
しかしながらこれら従来構造の場合、電動回転工具の装着部の回転軸線と同一軸線上の入力装着部の装着軸部の回転軸線と上記出力装着部の装着穴部の回転軸線とを前者の構造にあっては固定角度（この場合、９０度）に変向自在、後者の構造にあっては、任意角度に変向自在とする構造を備えているものの、電動工具の形状及び作業位置の狭さ等の作業条件によっては、装着軸部の回転軸線と装着穴部の回転軸線との変向角度の自由度が小さく、それだけ、用途に制約を受けることがあるという不都合を有している。
【課題を解決するための手段】
【０００５】
本考案はこのような不都合を解決することを目的とするもので、本考案のうち、請求項１記載の考案は、電動回転工具の装着部に着脱自在に装着可能な装着軸部をもつ入力装着部及びドライバービット等の工具を着脱自在に装着可能な装着穴部をもつ出力装着部を備えてなり、上記入力装着部及び出力装着部の間に交差変向機構をもつ中間伝達部を設けると共に上記入力装着部に上記装着軸部の回転軸線を固定又は変向可能な自在継手機構を設けてなることを特徴とする電動回転工具用アタッチメントにある。
【０００６】
又、請求項２記載の考案は、上記中間伝達部と上記入力装着部とを着脱自在とする分離着脱機構を設けてなることを特徴とするものであり、又、請求項３記載の考案は、上記中間伝達部にハンドルを設けてなることを特徴とするものであり、又、請求項４記載の考案は、上記ハンドルは位置変更可能に設けられていることを特徴とするものであり、又、請求項５記載の考案は、上記交差変向機構は傘歯車機構であることを特徴とするものである。
【考案の効果】
【０００７】
本考案は上述の如く、請求項１記載の考案にあっては、電動回転工具の装着部に入力装着部の装着軸部を装着し、ドライバービット等の工具を出力装着部の装着穴部に装着し、電動回転工具を駆動して回転工具作業を行うことになり、この際、上記入力装着部及び出力装着部の間に交差変向機構をもつ中間伝達部を設けると共に上記入力装着部に上記装着軸部の回転軸線を固定又は変向可能な自在継手機構を設けてなるから、電動回転工具からの回転を中間伝達部の交差変向機構により変向することができ、かつ、自在継手機構により装着軸部を任意角度に変向することができ、装着軸部の回転軸線と装着穴部の回転軸線との変向角度の自由度を大きくすることができ、それだけ、電動回転工具の形状及び作業位置の狭さ等の作業条件により生ずる制約を回避して回転工具作業の融通性を高めることができ、用途を拡大することができる。
【０００８】
又、請求項２記載の考案にあっては、上記中間伝達部と上記入力装着部とを着脱自在とする分離着脱機構を設けてなるから、不使用時等において、中間伝達部と上記入力装着部と分離することにより保管及び収納の融通性を高めることができ、又、請求項３記載の考案にあっては、上記中間伝達部にハンドルを設けてなるから、ハンドルを把持しつつ作業することができ、作業を容易に行うことができ、又、請求項４記載の考案にあっては、上記ハンドルは位置変更可能に設けられているから、作業姿勢に応じてハンドルの位置を変更することができ、作業性を高めることができ、又、請求項５記載の考案にあっては、上記交差変向機構は傘歯車機構であるから、電動回転工具の回転を工具に確実に伝達することができる。
【図面の簡単な説明】
【０００９】
【図１】本考案の実施の形態例の全体斜視図である。
【図２】本考案の実施の形態例の分離正面図である。
【図３】本考案の実施の形態例の平面図である。
【図４】本考案の実施の形態例の断面図である。
【図５】本考案の実施の形態例の拡大断面図である。
【図６】本考案の実施の形態例の拡大断面図である。
【図７】本考案の実施の形態例の使用状態図である。
【考案を実施するための形態】
【００１０】
図１乃至図７は本考案の実施の形態例を示し、図１の如く、大別して、電動回転工具Ｄの装着部Ｄ１に着脱自在に装着可能な装着軸部１ａをもつ入力装着部１と、ドライバービット等の工具Ｔを着脱自在に装着可能な装着穴部２ａをもつ出力装着部２と、上記入力装着部１と出力装着部２の間に設けられた、この場合伝達軸線を９０度変向する交差変向機構３ａをもつ中間伝達部３とからなり、かつ、上記入力装着部１には上記装着軸部１ａの回転軸線を固定又は変向可能な自在継手機構４が設けられ、更に、上記中間伝達部３と上記入力装着部１とを着脱自在とする分離着脱機構５が設けられている。
【００１１】
すなわち、上記入力装着部１には、図４の如く、上記自在継手機構４及び上記分離着脱機構５が設けられており、この場合、自在継手機構４にあっては、連結軸部１ｂの一方端部に六角嵌挿穴１ｃを形成すると共に六角嵌挿穴１ｃの中央部に係止ボール４ａ・４ａを嵌入可能な嵌入穴４ｂ・４ｂを対向して二個形成し、嵌入穴４ｂ・４ｂは係止ボール４ａ・４ａの落下離脱を防くテーパー穴状に形成され、六角嵌挿穴１ｃの入口部に抜止リング４ｃを固定装着し、かつ、連結軸部１ｂの外周面にスリーブ４ｄを軸方向移動自在に嵌挿し、スリーブ４ｄにバネ嵌挿穴４ｆを形成すると共に連結軸部１ｂにバネ止めリング４ｇを固定装着し、バネ止めリング４ｇにバネ座４ｈを係止してバネ嵌挿穴４ｆの底段部とバネ座４ｈとの間に復帰用バネ４ｉを介装し、スリーブ４ｄに連結軸部１ｂ端部の径大段部４ｊに当接可能なストッパー部４ｋを形成し、スリーブ４ｄに係止ボール４ａ・４ａを六角嵌挿穴１ｃの内方に押圧する押圧環状部４ｌを形成すると共に係止ボール４ａ・４ａを受け入れ可能な環状溝部４ｍを形成し、一方、六角嵌挿穴１ｃに嵌挿される装着軸部１ａの先端部に電動回転工具Ｄの装着部Ｄ１に回り止め状態で着脱自在に装着可能な六角軸部１ｄ及び径小部１ｅを形成すると共に中程部に連結軸部１ｂの端面に当接可能な膨出部１ｆを形成し、かつ、装着軸部１ａの基端部に六角嵌挿穴１ｃに回り止め状態で摺動自在な六角頭部１ｇ及びくびれ部１ｈを形成すると共に六角頭部１ｇに係止ボール４ａ・４ａが嵌入可能な嵌入凹部１ｉ・１ｉを形成して構成している。
【００１２】
しかして、図５の如く、上記スリーブ４ｄを復帰用バネ４ｉに抗して押動して係止ボール４ａを環状溝部４ｍに対向位置させると共に装着軸部１ａを引動し、図６の如く、装着軸部１ａを六角嵌挿穴１ｃと六角頭部１ｇとの嵌合により回り止め状態を保持しつつ球状運動可能とし、上記スリーブ４ｄを復帰用バネ４ｉにより戻動させると共に装着軸部１ａを押動して係止ボール４ａを嵌入凹部１ｉ・１ｉに嵌入し、連結軸部１ｂの端面に膨出部１ｆが当接して連結軸部１ｂと装着軸部１ａとを固定連結し、自在継手機構４により上記装着軸部１ａの回転軸線Ｎを固定又は変向可能に構成している。
【００１３】
又、この場合、上記中間伝達部３として、中間ケース内３ｂ内に上記装着穴部２ａ、中間軸部３ｃ及び装着穴部２ａと中間軸部３ｃとを９０度に回転軸線を変向して回転伝達する交差変向機構３ａが設けられ、この交差変向機構３ａは傘歯車機構Ｓが用いられ、また、工具Ｔとしてのドライバービットは六角軸状に形成され、装着穴部２ａは回転軸線Ｍを有する六角穴状に形成され、図示省略しているが上記分離着脱機構５とほぼ同一構造の着脱機構により回り止め状態で着脱自在に設けられている。
【００１４】
又、この場合、図４の如く、上記分離着脱機構５として、上記中間伝達部３に突設された中間軸部３ｃに六角軸部５ａを形成すると共に径小部５ｂを形成し、上記連結軸部１ｂの他方端部に六角嵌挿穴１ｊを形成すると共に六角嵌挿穴１ｊの中央部に係止ボール５ｃ・５ｃを嵌入可能な嵌入穴５ｄ・５ｄを対向して二個形成し、嵌入穴５ｄ・５ｄは係止ボール５ｃ・５ｃの落下離脱を防くテーパー穴状に形成され、連結軸部１ｂの外周面にスリーブ５ｅを軸方向移動自在に嵌挿し、スリーブ５ｅに規制段部５ｆを形成すると共に連結軸部１ｂの外周面に止めリング５ｇを固定装着し、スリーブ５ｅに係止ボール５ｃ・５ｃを六角嵌挿穴１ｊの内方に押圧する押圧環状部５ｈを形成すると共に係止ボール５ｃ・５ｃを受け入れ可能な環状溝部５ｉを形成し、押圧環状部５ｈと連結軸部１ｂの段部５ｊとの間に復帰用バネ５ｋを介装し、しかして、スリーブ５ｅを復帰用バネ５ｋに抗して押動して係止ボール５ｃを環状溝部５ｉに対向位置して連結軸部１ｂを引動することにより中間軸部３ｃから取り外すことができ、又、スリーブ５ｅを復帰用バネ５ｋに抗して押動した状態で六角嵌挿穴１ｊを中間軸部３ｃに嵌挿し、スリーブ５ｅを復帰用バネ５ｋにより戻動することにより係止ボール５ｃと径小部５ｂとを係止し、中間軸部３ｃと連結軸部１ｂとを六角軸部５ａと六角嵌挿穴１ｊとにより回り止め状態で着脱自在に構成している。
【００１５】
６はハンドルであって、図２、図３の如く、上記中間伝達部３に位置変更自在に設けられ、この場合、中間伝達部３に環状溝部３ｄを形成し、環状溝部３ｄに回動リング６ａを回動自在に嵌合し、回動リング６ａにハンドル６の端部に設けた止めボルト６ｂを螺着し、ハンドル６を回転することにより止めボルト６ｂを環状溝部３ｄの底面に押圧して任意の回転位置に変向自在に構成している。
【００１６】
この実施の形態例は上記構成であるから、電動回転工具Ｄの装着部Ｄ１に入力装着部１の装着軸部１ａを装着し、ドライバービット等の工具Ｔを出力装着部２の装着穴部２ａに装着し、図６の如く、工具Ｔの先端部をネジＦの頭部の穴に嵌合して電動回転工具Ｄを駆動してねじ締め作業を行うことになり、この際、上記入力装着部１及び出力装着部２の間に交差変向機構３ａをもつ中間伝達部３を設けると共に上記入力装着部１に上記装着軸部１ａの回転軸線Ｎを固定又は変向可能な自在継手機構４を設けてなるから、電動回転工具Ｄからの回転を中間伝達部３の交差変向機構３ａにより９０度に変向することができ、かつ、自在継手機構４により装着軸部１ａを任意角度に変向することができ、装着軸部１ａの回転軸線Ｎと装着穴部２ａの回転軸線Ｍとの変向角度の自由度を大きくすることができ、それだけ、電動回転工具Ｄの形状及び作業位置の狭さ等の作業条件により生ずる制約を回避して回転工具作業の融通性を高めることができ、用途を拡大することができる。
【００１７】
この場合、上記中間伝達部３と上記入力装着部１とを着脱自在とする分離着脱機構５を設けてなるから、不使用時等において、中間伝達部３と上記入力装着部１と分離することにより保管及び収納の融通性を高めることができ、又、この場合、上記中間伝達部３にハンドル６を設けてなるから、ハンドル６を把持しつつ作業することができ、作業を容易に行うことができ、かつ、この場合、上記ハンドル６は位置変更可能に設けられているから、作業姿勢に応じてハンドル６の位置を変更することができ、作業性を高めることができ、又、この場合、上記交差変向機構３ａは傘歯車機構Ｓであるから、電動回転工具Ｄの回転を工具Ｔに確実に伝達することができる。
【００１８】
尚、本考案は上記の形態例に限られるものではなく、上記入力装着部１、出力装着部２、中間伝達部３、自在継手機構４及び分離着脱機構５の大きさや形状、材質、構造等は適宜変更して設計される。
【００１９】
以上の如く、所期の目的を充分達成することができる。
【符号の説明】
【００２０】
Ｄ    電動回転工具
Ｄ１    装着部
Ｔ    工具
Ｎ    回転軸線
Ｍ    回転軸線
Ｓ    傘歯車機構
１    入力装着部
１ａ    装着軸部
２    出力装着部
２ａ    装着穴部
３    中間伝達部
３ａ    交差変向機構
４    自在継手機構
５    分離着脱機構
６    ハンドル
【図１】
0003163635.tif 000003
【図２】
0003163635.tif 000004
【図３】
0003163635.tif 000005
【図４】
0003163635.tif 000006
【図５】
0003163635.tif 000007
【図６】
0003163635.tif 000008
【図７】
0003163635.tif 000009